(57)【要約】【課題】蓋体のスイッチ収容筐体への取付け前に簡単に当該スイッチ収容筐体への保持ができるように構成すると共に、内部スイッチ構成体をスイッチ収容筐体から取外さない限りシール部材もスイッチ収容筐体から取外せないように構成して、メンテナンス時等に際してシール部材の故意の取外しを防止することができる。【解決手段】シール部材５に、内部スイッチ構成体１とスイッチ収容筐体２との間で挟着される挟合片部６を一体に形成して、蓋体３をスイッチ収容筐体２に装着するに当たってスイッチ収容筐体２と内部スイッチ構成体１との間に挟合片部６を介在挟合させてシール部材５の保持機構を構成した。【選択図】図２
2009164045.tif 000002
【特許請求の範囲】
【請求項１】
スイッチケースを、内部スイッチ構成体を収納するために開口部を有するボックス状のスイッチ収容筐体と、該スイッチ収容筐体の前記開口部を閉塞するように前記スイッチ収容筐体に装着する蓋体と、該蓋体および前記開口部の周縁部の間に介在させて前記スイッチ収容筐体と前記蓋体間を密閉するシール部材と、を有して構成しており、前記シール部材に、前記内部スイッチ構成体と前記スイッチ収容筐体との間で挟着される挟合片部を一体に形成して、前記蓋体を前記スイッチ収容筐体に装着するに当たって前記スイッチ収容筐体と前記内部スイッチ構成体との間に前記挟合片部を介在挟合させて前記シール部材の保持機構を構成したことを特徴とするスイッチケース装置。
【請求項２】
前記挟合片部は、前記シール部材の周縁部において互いに離間した状態に複数個配置したことを特徴とする請求項１に記載のスイッチケース装置。
【請求項３】
前記挟合片部に前記スイッチ収容筐体側に一体に延在する嵌合突部を突設すると共に、該嵌合突部が嵌合する嵌合凹部を前記スイッチ収容筐体に形成して、前記嵌合凹部内に前記嵌合突部を嵌合することにより、前記スイッチ収容筐体に対する前記シール部材の位置決めを行うように構成した請求項１または請求項２に記載のスイッチケース装置。
【発明の詳細な説明】
【技術分野】
【０００１】
本発明は、内部スイッチ構成体を収容するスイッチケース装置に関し、特に、例えば産業機械が設置される部屋の出入口などに取付けられて、当該出入口の扉が開かれる時には当該産業機械への電源の供給を停止するようになしたドア用スイッチを構成するスイッチケース装置に関するものである。
【背景技術】
【０００２】
従来、この種のスイッチケース装置は、スイッチモジュール或いは接続端子等をユニット化して構成する内部スイッチ構成体を収納するために前面部に開口部を有するボックス状のスイッチ収容筐体とスイッチ収容筐体の開口部を閉塞するようにスイッチ収容筐体に装着する蓋体とを有して構成しており、蓋体とスイッチ収容筐体との間を水密或いは液密的に密閉するために、蓋体の周縁部およびスイッチ収容筐体の開口部の周縁部の間にシール部材を介在させて構成したものが知られている。
【０００３】
そして、シール部材の取付け構造として、蓋体の開口部周縁部に溝部を刻設して、シール部材の一部を嵌合することによりシール部材をスイッチ収容筐体側に保持した後、スイッチ収容筐体に蓋体をビス等により装着することによってシール部材をスイッチ収容筐体と蓋体との間で挟着設置するものが知られている。
【０００４】
しかし、このように溝部へのシール部材を嵌合することにより保持する方式では、メンテナンス作業等の際に、スイッチ収容筐体から蓋体を取外した際に、シール部材を故意に外そうとすれば簡単に蓋体から外れてしまうことから、うっかりシール部材を外したままスイッチ収容筐体に蓋体を装着してしまうことが起こり得る。
【０００５】
そこで、このようなシール部材の故意の取外しを防止するために、従来においては、蓋体の成形時に、予めシール部材をスイッチ収容筐体にインサート成形することや成形後のスイッチ収容筐体に接着剤や粘着テープを用いてシール部材を貼付しておくようにしたものが採用されている（非特許文献１を参照）。
【非特許文献１】オムロン株式会社発行のＨＬ−５０００小形リミットスイッチの商品型録（ HYPERLINK "http://www.fa.omron.co" http://www.fa.omron.co.jp参照）
【発明の開示】
【発明が解決しようとする課題】
【０００６】
しかしながら、改良された上記従来技術のうち、前者におけるインサート成形による場合には、成形金型の型費やインサートするための別部材が必要となり、また後者における接着剤や接着テープを用いて貼付する場合には、貼付作業が嵩むことになって、いずれにしても製品コストの上昇の因となってしまう。
【０００７】
そこで、本発明は、従来のようなインサート成形や貼着によるシール部材の設置方式を取り止め、しかも、蓋体のスイッチ収容筐体への取付け前に簡単に当該スイッチ収容筐体への保持ができるように構成すると共に、内部スイッチ構成体をスイッチ収容筐体から取外さない限りシール部材もスイッチ収容筐体から取外せないように構成して、メンテナンス時等に際してシール部材の故意の取外しを防止することができるスイッチケース装置を提供することを目的としている。
【課題を解決するための手段】
【０００８】
本発明に係るスイッチケース装置は、スイッチケースを、内部スイッチ構成体を収納するために開口部を有するボックス状のスイッチ収容筐体と、該スイッチ収容筐体の前記開口部を閉塞するように前記スイッチ収容筐体に装着する蓋体と、該蓋体および前記開口部の周縁部の間に介在させて前記スイッチ収容筐体と前記蓋体間を密閉するシール部材と、を有して構成しており、前記シール部材に、前記内部スイッチ構成体と前記スイッチ収容筐体との間で挟着される挟合片部を一体に形成して、前記蓋体を前記スイッチ収容筐体に装着するに当たって前記スイッチ収容筐体と前記内部スイッチ構成体との間に前記挟合片部を介在挟合させて前記シール部材の保持機構を構成したことを特徴とするものである。
【０００９】
かかる構成により、蓋体を装着する前に、スイッチ収容筐体に内部スイッチ構成体をセットする際に、シール部材に形成した挟合片部をスイッチ収容筐体の開口部の周縁部と内蔵スイッチ構成体の周縁部とで挟着することによってシール部材をスイッチ収容筐体に保持することができることから、内部スイッチ構成体をスイッチ収容筐体から取り外さない限り、シール部材はスイッチ収容筐体に保持されていることになり、メンテナンス時等に際してシール部材の故意の取外しを防止することができ、しかも、従来のインサート成形や接着剤等による装着方式を廃止したことによる製品コストの低減を図ることができる。
【００１０】
また、本発明は、前記挟合片部を前記シール部材の周縁部において互いに離間した状態に複数個配置するように構成してもよい。
【００１１】
かかる構成により、例えば、シール部材の周縁部全周に挟合片部を連続形成する場合等に比して、シール部材の保持作業が簡単となる。
【００１２】
また、本発明は、前記挟合片部に前記スイッチ収容筐体側に一体に延在する嵌合突部を突設すると共に、該嵌合突部が嵌合する嵌合凹部を前記スイッチ収容筐体に形成して、前記嵌合凹部内に前記嵌合突部を嵌合することにより、前記スイッチ収容筐体に対する前記シール部材の位置決めを行うように構成するようにしてもよい。
【００１３】
かかる構成により、シール部材の挟合片部をスイッチ収容筐体に対して内蔵スイッチ構成体により挟合する際に、予めシール部材をスイッチ収容筐体にセットする必要があるが、この際、シール部材側の嵌合突部をスイッチ収容筐体側の嵌合凹部に嵌合することによって、シール部材をスイッチ収容筐体に対して位置決めしておくことができ、内蔵スイッチ構成体を装着する際にシール部材を所定位置に正確かつ簡単にセットしておくことができる。
【発明の効果】
【００１４】
上記のように構成する本発明によれば、蓋体を装着する前に、スイッチ収容筐体に内部スイッチ構成体をセットする際に、シール部材に形成した挟合片部をスイッチ収容筐体の開口部の周縁部と内蔵スイッチ構成体の周縁部とで挟着することによってシール部材をスイッチ収容筐体に保持することができることから、内部スイッチ構成体をスイッチ収容筐体から取り外さない限り、シール部材はスイッチ収容筐体に保持されていることになり、メンテナンス時等に際してシール部材の故意の取外しを防止することができ、しかも、従来のインサート成形や接着剤等による装着方式を廃止したことによる製品コストの低減を図ることができる。
【発明を実施するための最良の形態】
【００１５】
次に、本発明に係る実施の形態について、図１乃至図５を用いて説明する。
【００１６】
図１は本発明に係る実施例を採用したスイッチケース装置を正面側から描画した分解斜視図、図２は図１におけるＡ−Ａ断面図、図３は図２のＢ−Ｂ断面図、図４は図１に描画したスイッチケース装置に使用するシール部材の平面図、図５は図４のＣ矢視図である。
【００１７】
先ず、図１において、本発明に係る実施例を採用したスイッチケース装置は、ドアスイッチとして構成するものであり、不図示のスイッチモジュール或いは接続端子等のスイッチ構成体をハウジング１Ａ内に収容しユニット化して構成する内部スイッチ構成体１と、内部スイッチ構成体１を収容するボックス状のスイッチ収容筐体２と、スイッチ収容筐体２の前面部を開口して形成された開口部２ａを閉塞する蓋体３とを有して構成されている。
【００１８】
スイッチ収容筐体２の上部側の側面部２Ａには、産業機械等が配置される部屋の出入口ドアの開閉によって内部スイッチ構成体１を操作する不図示のキー操作部を収容するヘッドブロック筐体４が配設されている。
【００１９】
蓋体３は、上端側に一対の係合突起３ａが形成されており、係合突起３ａをスイッチ収容筐体２の上部側の側面部２Ａの内壁に形成した係合孔２ｂにそれぞれ係合することにより、スイッチ収容筐体２の前面部に形成した蓋体設置部２ｃに配設されるように構成し、配設後、蓋体３の下端に形成した取付け孔３ｃに挿通させたねじ３ｂを、スイッチ収容筐体２の下端部に形成した取付け孔２ｅに螺着することにより、スイッチ収容筐体２に装着されて、開口部２ａを閉塞するようになっている。
【００２０】
蓋体設置部２ｃは、開口部２ａの周縁部全周に亘り形成され、その上にシール部材５を載置介在した状態で蓋体３の周縁部が当接させることによって、開口部２ａを密閉している。
【００２１】
シール部材５は、蓋体設置部２ｃに載置当接するように形成されたシール本体部５Ａを有して構成している。
【００２２】
シール本体部５Ａは、蓋体設置部２ｃの全周に亘って添設すべく、蓋体設置部２ｃの形状に適合するように略矩形状の枠体状に形成されており、その４つの角部および両長辺側一端部側にそれぞれ挟合片部６が一体に形成されている。
【００２３】
挟合片部６のうち、シール本体部５Ａの一端側両角部にそれぞれ形成された挟合片部６Ａは、シール本体部５Ａよりスイッチ収容筐体２側に張出すように形成されており、その先端を水平方向に折曲して挟合面部６Ａ−１を形成することにより略Ｌ字状を呈して構成していると共に、さらに、挟合面部６Ａ−１の先端部は、スイッチ収容筐体２側に延在するように折曲形成することにより、嵌合突部６Ａ−２となっている。
【００２４】
そして、挟合片部６Ａは、図２に示すように、挟合面部６Ａ−１が蓋体設置部２ｃに当接するとともに、嵌合突部６Ａ―２が、蓋体設置部２ｃの一端部側に形成した嵌合凹部２ｃ−１に嵌合することによって、蓋体設置部２ｃにおけるシール部材５の位置決めを行うようになっている。
【００２５】
また、挟合片部６のうち、シール本体部５Ａの他端側両角部にそれぞれ形成された挟合片部６Ｂおよび両長辺側一端部側にそれぞれ形成された挟合片部６Ｃは、シール本体部５Ａよりスイッチ収容筐体２側に延在するように形成され、且つ、その先端を水平方向に折曲して、挟合面部６Ｂ−１、６Ｃ−１がそれぞれ形成されることによって、略Ｌ字状に呈している。
【００２６】
挟合片部６Ｂは、図２に示すように、スイッチ収容筐体２の上側短辺側の壁部に形成した段付き凹部２ｆ内に嵌合され、挟合面部６Ｂ−１が段付き凹部２ｆの段部に当接するようになっている。
【００２７】
挟合片部６Ｃは、図３に示すように、スイッチ収容筐体２の両長辺側の壁部にそれぞれ形成した段付き凹部２ｇ内に嵌合され、挟合面部６Ｃ−１が段付き凹部２ｇの段部に当接するようになっている。
【００２８】
さらに、シール本体部５Ａの両長辺側他端部側には、スイッチ収容筐体２側に延在する平板状の脚部６Ｄがそれぞれ突設されており、脚部６Ｄは、スイッチ収容筐体２の内壁に形成した凹み部２ｄに嵌合することによって、シール部材５におけるスイッチ収容筐体２に対する位置決め保持部材として作用している。
【００２９】
内部スイッチ構成体１のハウジング１Ａは、一端側において、蓋体設置部２ｃに形成した一対の取付け孔２ｅに対応して、やはり一対の取付け孔１Ａ―１を形成するために、一対の取付け片１Ａ−２が突設されており、取付け孔１Ａ−１に挿通したねじ１ａを取付け孔２ｅに螺合することによって、スイッチ収容筐体２に装着されている。
【００３０】
また、内部スイッチ構成体１のハウジング１Ａには、内部スイッチ構成体１がその一端側を蓋体設置部２ｃに載置して収容した際に傾斜しないようにするために、他端側に脚片部１Ａ−３が形成されている。
【００３１】
次に、上記のように構成する本発明に係る実施例における組付けの仕方について説明する。
【００３２】
即ち、先ず、スイッチ収容筐体２の蓋体設置部２ｃ上にシール部材５を載置する。このとき、シール部材５の脚部６Ｄをスイッチ収容筐体２側の凹み部２ｄに嵌合すると共に、挟合片部６Ａの嵌合突部６Ａ−２を嵌合凹部２ｃ−１内に嵌合して、シール部材５を蓋体設置部２ｃ上に位置決めしておく。
【００３３】
次に、内部スイッチ構成体１のハウジング１Ａを蓋体設置部２ｃに載置するのであるが、この際ハウジング１Ａの周壁部と蓋体設置部２ｃとの間で、挟合片部６Ａの挟合面部６Ａ−１、挟合片部６Ｂの挟合面部６Ｂ−１および挟合片部６Ｃの挟合面部６Ｃ−１を挟合することにより、シール部材５をスイッチ収容筐体２上に保持する。
【００３４】
詳しくは、挟合片部６Ａの挟合面部６Ａ−１が蓋体載置部２ｃ上に載置当接され、挟合片部６Ｂの挟合面部６Ｂ−１が段付き凹部２ｇに当接し、さらに、挟合片部６Ｃの挟合面部６Ｃ−１が段付き凹部２ｇに当接した状態で、スイッチ収容筐体２と内部スイッチ構成体１との間で、シール部材５を保持することになる。
【００３５】
このように、シール部材５の保持状態を保持したまま、内部スイッチ構成体１は、取付け孔１Ａ−１に挿通させたねじ１ａをスイッチ収容筐体２側の取付け孔２ｅに螺着することにより、スイッチ収容筐体２に装着されている。
【００３６】
この際、シール部材５は、挟合面部６Ａ−１、６Ｂ−１および６Ｃ−１が蓋体設置部２ｃと内部スイッチ構成体１のハウジング１Ａに挟着保持されており、シール本体部５Ａが内部スイッチ構成体１のハウジング１Ａの周縁部より表出している（図２および図３を参照）。
【００３７】
次に、蓋体３の係合突起３ａをスイッチ収容筐体２の係合孔２ｂに係合して、蓋体３を蓋体設置部２ｃ上に位置決めした後に、ねじ３ｂを取付け孔３ｃに挿通させた後、スイッチ収容筐体２側の取付け孔２ｅに螺合することによって、蓋体３は、スイッチ収容筐体２に装着されて、開口部２ａを閉塞する。
【００３８】
この状態においては、シール部材５は、内部スイッチ構成体１のハウジング１Ａの周縁部に表出しているシール本体部５Ａが蓋体設置部２ｃと蓋体３の周縁部との間に弾縮した状態で介在することになって、蓋体３とスイッチ収容筐体２との間を水密或いは液密的に密閉することになる。
【００３９】
上記のように構成する本発明に係る実施例においては、蓋体３をスイッチ収容筐体２に装着する前に、スイッチ収容筐体２に内部スイッチ構成体１をセットする際に、シール部材５に形成した挟合片部６Ａ、６Ｂ、６Ｃの挟合面部６Ａ−１、６Ｂ-１、６Ｃ−１をそれぞれスイッチ収容筐体２の開口部２ａの周縁部と内部スイッチ構成体１の周縁部とで挟着することによってシール部材５をスイッチ収容筐体２に保持することができることから、内部スイッチ構成体１をスイッチ収容筐体２から取り外さない限り、シール部材５はスイッチ収容筐体２に保持されていることになり、メンテナンス時等に際してシール部材５の故意の取外しを防止することができしかも、従来のインサート成形や接着剤等による装着方式を廃止したことによる製品コストの低減を図ることができる。
【００４０】
また、本実施例においては、挟合片部６は、シール部材５のシール本体部５Ａの周縁部において互いに離間した状態に符号６Ａ、６Ｂ、６Ｃで示すように、複数個配置するように構成したことから、例えば、シール部材５のシール本体部５Ａの周縁部全周に連続的な挟合片部６を形成する場合等に比して、シール部材の保持作業が簡単となる。
【００４１】
また、本実施例においては、挟合片部６Ａにスイッチ収容筐体２側に一体に延在する嵌合突部６Ａ−２を突設すると共に、嵌合突部６Ａ−２が嵌合する嵌合凹部２ｃ−１をスイッチ収容筐体２に形成して、嵌合凹部２ｃ−１内に嵌合突部６Ａ−２を嵌合することにより、スイッチ収容筐体２に対するシール部材５の位置決めを行うように構成したことから、シール部材５の挟合片部６をスイッチ収容筐体２に対して内部スイッチ構成体１により挟合する際に、予めシール部材５をスイッチ収容筐体２にセットする必要があるが、この際、シール部材５側の嵌合突部６Ａ−２をスイッチ収容筐体２側の嵌合凹部２ｃ−１に嵌合することによって、シール部材５をスイッチ収容筐体２に対して位置決めしておくことができ、内部スイッチ構成体１を装着する際にシール部材５を所定位置に正確かつ簡単にセットしておくことができる。
【００４２】
なお、本発明に係るスイッチケース装置は、上記実施例におけるドア用スイッチを構成するスイッチケース装置に適用される場合に限定されるものではなく、リミットスイッチ等の内装スイッチ構成体をスイッチ収容筐体内に収容設置して構成するスイッチケース装置としても広く適用することができるものである。
【産業上の利用可能性】
【００４３】
以上説明したように、本発明は、蓋体を装着する前に、スイッチ収容筐体に内部スイッチ構成体をセットする際に、シール部材に形成した挟合片部をスイッチ収容筐体の開口部の周縁部と内蔵スイッチ構成体の周縁部とで挟着することによってシール部材をスイッチ収容筐体に保持することができることから、内部スイッチ構成体をスイッチ収容筐体から取り外さない限り、シール部材はスイッチ収容筐体に保持されていることになり、メンテナンス時等に際してシール部材の故意の取外しを防止することができしかも、従来のインサート成形や接着剤等による装着方式を廃止したことによる製品コストの低減を図ることができるために、内部スイッチ構成体を収容するスイッチケース装置、例えば産業機械が設置される部屋の出入口などに取付けられて、当該出入口の扉が開かれる時には当該産業機械への電源の供給を停止するようになしたドア用スイッチを構成するスイッチケース装置等に好適であるといえる。
【図面の簡単な説明】
【００４４】
【図１】本発明に係る実施例を採用したスイッチケース装置を正面側から描画した分解斜視図である。
【図２】図１におけるＡ−Ａ断面図である。
【図３】図２のＢ−Ｂ断面図である。
【図４】図１に描画したスイッチケース装置に使用するシール部材の平面図である。
【図５】図４のＣ矢視図である。
【符号の説明】
【００４５】
１    内部スイッチ構成体
２    スイッチ収容筐体
２ａ  開口部
２ｃ  蓋体設置部
２ｃ−１  嵌合凹部
３    蓋体
５    シール部材
６（６Ａ〜６Ｃ）  挟合片部
６Ａ−２  嵌合突部
【図１】
2009164045.tif 000003
【図２】
2009164045.tif 000004
【図３】
2009164045.tif 000005
【図４】
2009164045.tif 000006
【図５】
2009164045.tif 000007